(57)【要約】  流通網内の商品を監視するためのシステムが提供されている。当該システムは、流通網内の商品に関連するパラメータを記憶するための記憶装置を含み、パラメータの少なくとも１つは輸送用冷蔵システムから受信される。記憶装置は、その他の商品の履歴パラメータを格納する。また、記憶装置に接続されたパラメータ管理システムも含まれる。パラメータ管理システムは、予測パラメータを決定する予測モジュールと、予測パラメータとパラメータを組み合わせることによって出力パラメータを決定するメッシュモジュールとを含む。
2019516162.tif 000002
【特許請求の範囲】
【請求項１】
流通網内の商品に関連するパラメータを記憶するための記憶装置であって、その他の商品の履歴パラメータを記憶しており、前記パラメータのうち少なくとも１つが輸送用冷蔵システムから受信される、記憶装置と、
前記記憶装置に接続されたパラメータ管理システムと、
を備え、前記パラメータ管理システムが、
予測パラメータを決定するための予測モジュールと、
前記予測パラメータと前記パラメータとを組み合わせることにより出力パラメータを決定するためのメッシュモジュールと、
を含んだ、流通網内で商品を監視するためのシステム。
【請求項２】
前記出力パラメータがユーザデバイスを介してアクセス可能である、請求項１に記載のシステム。
【請求項３】
前記出力パラメータがユーザデバイスに送信される、請求項１に記載のシステム。
【請求項４】
前記出力パラメータが、前記商品の時間ベースの位置をその時間ベースの位置における前記出力パラメータと共に表示するマップ、及び、前記出力パラメータのデータテーブル、のうちの少なくとも１つとして構成されている、請求項２または３に記載のシステム。
【請求項５】
前記パラメータが温度、気圧、振動、湿度、及び光暴露のうち少なくとも１つを含む、請求項１に記載のシステム。
【請求項６】
前記パラメータが前記商品の少なくとも１つの時間ベースの位置を含む、請求項１に記載のシステム。
【請求項７】
前記パラメータが、前記商品が経験した気象データを含む、請求項１に記載のシステム。
【請求項８】
前記パラメータが前記商品の品質検査を含む、請求項１に記載のシステム。
【請求項９】
前記パラメータが手動入力されたデータを含む、請求項１に記載のシステム。
【請求項１０】
記憶装置を使用して、流通網の商品に関連するパラメータを記憶することであって、前記記憶装置がその他の商品の履歴パラメータを記憶しており、前記パラメータのうち少なくとも一つが輸送用冷蔵システムから受信された、パラメータを記憶することと、
前記記憶装置に接続されたパラメータ管理システムを使用して、前記パラメータを分析することであって、
予測パラメータを決定するための予測モジュールと、
前記予測パラメータと、前記パラメータとを組み合わせることによって出力パラメータを決定するためのメッシュモジュールと、
を含んだパラメータ管理システムを使用して、前記パラメータを分析することと、
を備えた、流通網内の商品の監視方法。
【請求項１１】
ユーザデバイスを介して前記出力パラメータへアクセスすることをさらに備えた、請求項１０に記載の方法。
【請求項１２】
ユーザデバイスを介して前記出力パラメータを受信することをさらに備えた、請求項１０に記載の方法。
【請求項１３】
前記商品の時間ベースの位置をその時間ベースの位置における前記出力パラメータと共に表示するマップ、及び、前記出力パラメータのデータテーブル、のうち少なくとも１つとして、前記出力パラメータを表示することをさらに含む、請求項１１または１２に記載の方法。
【請求項１４】
前記パラメータが温度、気圧、振動、湿度、及び光暴露のうち少なくとも１つを含む、請求項１０に記載の方法。
【請求項１５】
前記パラメータが前記商品の少なくとも１つの時間ベースの位置を含む、請求項１０に記載の方法。
【請求項１６】
前記パラメータが前記商品によって経験された気象データを含む、請求項１０に記載の方法。
【請求項１７】
前記パラメータが前記商品の品質検査を含む、請求項１０に記載の方法。
【請求項１８】
前記パラメータが手動入力されたデータを含む、請求項１０に記載の方法。
【発明の詳細な説明】
【技術分野】
【０００１】
本明細書にて開示される実施形態は、一般に、コールドチェーン流通システムに関し、より詳細には、コールドチェーン流通システム内の生鮮品を監視するための装置及び方法に関する。
【背景技術】
【０００２】
通常、コールドチェーン流通システムは、温度、湿度及びその他の環境的要因の影響を受けやすい生鮮品及び環境的要因に敏感な品（本明細書では生鮮品と呼ぶ）を輸送及び流通するために使用される。生鮮品としては、果物、野菜、穀物、豆類、ナッツ、卵、乳製品、種子、花、食肉、家禽、魚、氷、医薬品を挙げることができるが、これらに限定されない。有利なことに、コールドチェーン流通システムは、生鮮品を損傷やその他の望ましくない影響を伴うことなく効率的に運搬され、流通されることを可能にする。
【０００３】
コールドチェーン流通システムにおいては、冷蔵トラック及びトレーラが生鮮品を輸送するために一般的に使用されている。トラックまたはトレーラ内に画定された貨物スペースと協働して貨物スペース内の制御された温度環境を維持するために、輸送用冷蔵システムがトラックまたはトレーラに取付けられる。
【０００４】
従来から、冷蔵トラック及び冷蔵トレーラと共に使用される輸送用冷蔵システムは、密閉された冷媒流回路内の好適な冷媒ラインを介して接続されている冷媒圧縮機、１つ以上の連携する凝縮器ファンを備えた凝縮器、膨張装置、及び１つ以上の連携する蒸発器ファンを備えた蒸発器を有する輸送用冷蔵ユニットを含んでいる。空気または空気／ガスの混合気は、蒸発器と連携する蒸発器ファン（複数可）によって貨物スペースの内部容積から引き出され、冷媒との熱交換関係で蒸発器の空気側を通過し、冷媒が空気から熱を吸収し、それによって空気を冷却する。冷却された空気は、次いで貨物スペースへ戻されるように供給される。
【発明の概要】
【発明が解決しようとする課題】
【０００５】
消費者は、購入した生産物の原産地や生産物の輸送に関する詳細に増々関心を持つようになってきている。この概念は、多くの場合、「ｆａｒｍ−ｔｏ−ｆｏｒｋ（農場から食卓まで）」と称される。経路に沿って数回管理者が変わることがあることから、単一の生産物の農場から食卓までの全旅程を追跡することが困難となることがある。改善されたシステム、特に改善された追跡システム及び予測システムは、業界に恩恵をもたらすことになる。
【課題を解決するための手段】
【０００６】
一実施形態によれば、流通網内の商品を監視するためのシステムが提供されている。当該システムは、流通網の商品に関連するパラメータを記憶するための記憶装置を含み、パラメータの少なくとも１つは輸送用冷蔵システムから受信される。記憶装置は他の商品の履歴パラメータを格納する。また、記憶装置に接続されたパラメータ管理システムも含まれる。パラメータ管理システムは、予測パラメータを決定する予測モジュールと、予測パラメータとパラメータとを組み合わせることによって出力パラメータを決定するメッシュモジュールと、を含んでいる。
【０００７】
上述の機能の１つまたは複数に加えて、またはその代替として、当該システムのさらなる実施形態は、出力パラメータがユーザデバイスを介してアクセス可能であることを含んでもよい。
【０００８】
上述の機能の１つまたは複数に加えて、またはその代替として、当該システムのさらなる実施形態は、出力パラメータがユーザデバイスに送信されることを含んでもよい。
【０００９】
上述の機能の１つまたは複数に加えて、またはその代替として、当該システムのさらなる実施形態は、出力パラメータが、商品の時間ベースの位置をその時間ベースの位置での出力パラメータと共に表示するマップ、及び、出力パラメータのデータテーブル、の少なくとも１つとして構成されていることを含んでもよい。
【００１０】
上述の機能の１つまたは複数に加えて、またはその代替として、当該システムのさらなる実施形態は、パラメータが温度、気圧、振動、湿度、及び光暴露のうち少なくとも１つを含むことを含んでもよい。
【００１１】
上述の機能の１つまたは複数に加えて、またはその代替として、当該システムのさらなる実施形態は、パラメータが少なくとも１つの時間ベースの商品位置を含むことを含んでもよい。
【００１２】
上述の機能の１つまたは複数に加えて、またはその代替として、当該システムのさらなる実施形態は、商品が経験した気象データをパラメータが含むことを含んでもよい。
【００１３】
上述の機能の１つまたは複数に加えて、またはその代替として、当該システムのさらなる実施形態は、パラメータが商品の品質検査を含むことを含んでもよい。
【００１４】
上述の機能の１つまたは複数に加えて、またはその代替として、当該システムのさらなる実施形態は、パラメータが手動で入力されたデータを含むことを含んでもよい。
【００１５】
別の実施形態によれば、流通網内の商品を監視する方法が提供されている。当該方法は、記憶装置を用いて流通網の商品に関連するパラメータを記憶することを含み、パラメータの少なくとも１つは輸送用冷蔵システムから受信されたものである。記憶装置は、他の商品の履歴パラメータを格納する。当該方法はまた、パラメータ管理システムを使用してパラメータを分析することを含み、パラメータ管理システムは記憶装置に接続され、パラメータ管理システムは、予測パラメータを決定する予測モジュールと、予測パラメータとパラメータとを組み合わせることによって出力パラメータを決定するメッシュモジュールとを含む。
【００１６】
上述の機能の１つまたは複数に加えて、またはその代替として、当該方法のさらなる実施形態は、ユーザデバイスを介して出力パラメータにアクセスすることを含んでもよい。
【００１７】
上述の機能の１つまたは複数に加えて、またはその代替として、当該方法のさらなる実施形態は、ユーザデバイスを介して出力パラメータを受信することを含んでもよい。
【００１８】
上述の機能の１つまたは複数に加えて、またはその代替として、当該方法のさらなる実施形態は、商品の時間ベースの位置をその時間ベースの位置における出力パラメータと共に示すマップ、及び、出力パラメータのデータテーブル、の少なくとも１つとして出力パラメータを表示することを含んでもよい。
【００１９】
上述の機能の１つまたは複数に加えて、またはその代替として、当該方法のさらなる実施形態は、パラメータが温度、気圧、振動、湿度及び光暴露のうち少なくとも１つを含むことを含んでもよい。
【００２０】
上述の機能の１つまたは複数に加えて、またはその代替として、当該方法のさらなる実施形態は、パラメータが少なくとも１つの時間ベースの位置を含むことを含んでもよい。
【００２１】
上述の機能の１つまたは複数に加えて、またはその代替として、当該方法のさらなる実施形態は、商品が経験した気象データをパラメータが含むことを含んでもよい。
【００２２】
上述の機能の１つまたは複数に加えて、またはその代替として、当該方法のさらなる実施形態は、パラメータが商品の品質検査を含むことを含んでもよい。
【００２３】
上述の機能の１つまたは複数に加えて、またはその代替として、当該方法のさらなる実施形態は、パラメータが手動で入力されたデータを含むことを含んでもよい。
【００２４】
本発明の他の態様、機能、及び技術は、図面と併せて以下の説明からより明らかになるであろう。
【００２５】
本開示として見なされる主題は、本明細書の結末の請求項において詳しく指摘され明確に請求される。本開示の上記及び他の機能、ならびに利点は、添付の図面と併せた以下の詳細な説明から明らかである。
【図面の簡単な説明】
【００２６】
【図１】本開示の一実施形態による、コールドチェーン流通システムで使用するためのパラメータを監視するためのシステムの概略図を示す。
【図２】本開示の実施形態を組込むことができるコールドチェーン流通システムの概略図を示す。
【発明を実施するための形態】
【００２７】
ここで図面を参照すると、図１は、本開示の一実施形態による、コールドチェーン流通システムで使用するパラメータを監視するためのシステム１０の概略図を示す。図２は、本開示の実施形態を組込むことができるコールドチェーン流通システム２００の概略図を示す。通常、輸送用冷蔵システム２０は、腐敗しやすい商品及び環境に敏感な商品（本明細書では生鮮品３４と呼ぶ）を運搬及び分配するために使用される。図示した実施形態では、輸送用冷蔵システム２０は、環境的に制御されたコンテナ１４、輸送用冷蔵ユニット２８及び生鮮品３４を含む。コンテナ１４は、牽引車１２によって牽引されてもよい。本明細書に記載された実施形態は、牽引車１２を使用しない鉄路、海路、または他の適切なコンテナによって出荷される輸送用コンテナに応用され得ることが理解される。コンテナ１４は、内部コンパートメント１８を画定することができる。本明細書にて説明される実施形態は、生鮮品でない商品を輸送するためにも適用され得ると理解される。
【００２８】
図示した実施形態では、輸送用冷蔵ユニット２８は、例えば温度、気圧、湿度、二酸化炭素、エチレン、オゾン、光暴露、振動暴露、及び内部コンパートメント１８へのその他の条件などの所望の環境パラメータを提供するためにコンテナ１４に関連付けられる。さらなる実施形態では、輸送用冷蔵ユニット２８は、所望の温度及び湿度の範囲を提供することができる冷蔵システムである。生鮮品３４としては、果物、野菜、穀物、豆類、ナッツ、卵、乳製品、種子、花、食肉、家禽、魚、氷、血液、医薬品、または他のあらゆるコールドチェーン輸送を必要とする適切な貨物を挙げることができるが、これらに限定されない。
【００２９】
図示した実施形態では、輸送用冷蔵システム２０はセンサ２２を含む。センサ２２は、コンテナ１４内部及び外部のパラメータ８２を監視するために利用されてもよい。センサ２２によって監視されるパラメータ８２としては、温度、気圧、湿度、二酸化炭素、エチレン、オゾン、光暴露、振動、及び内部コンパートメント１８内の他の条件が挙げられるが、これらに限定されない。従って、適切なセンサ２２が、所望のパラメータを監視するために利用される。有利にも、センサ２２は、監視される生鮮品３４の種類及び対応する環境感度に応じて、特定の用途のために選択されることができる。一実施形態では、温度が監視される。図１に示すように、センサ２２は生鮮品３４の上に直接配置してもよい。
【００３０】
さらに、図示した実施形態のように、輸送用冷蔵システム２０の様々なパラメータ８２を監視するためにセンサ２２が使用されてもよい。これらのセンサ２２は、輸送冷蔵ユニット２８の上やコンテナ１４のドア３６上、及び内部コンパートメント１８の全体にわたる場所を含む様々な場所に配置されてもよいが、これらに限定されない。センサ２２は、輸送用冷蔵ユニット２８の運用を監視するために、輸送用冷蔵ユニット２８内に直接配置されてもよい。輸送用冷蔵ユニット２８の内部にある個別の構成要素もまた、例えば、個別の構成要素の使用サイクル、持続時間、温度及び気圧などの性能的側面を検出するためにセンサ２２によって監視されてもよい。図から分かるように、センサ２２はまた、ドア３６の位置を監視するために、コンテナ１４のドア３６上に配置されてもよい。ドア３６が開いているか閉じているかは、コンテナ１４の温度と生鮮品３４の温度との両方に影響を及ぼす。例えば、暑い天候では、開いたドア３６によって、冷気をコンテナ１４から逃がすことになり、内部コンパートメント１８の温度上昇をもたらし、生鮮品３４の温度に影響を及ぼす。さらに、全地球測位システム（ＧＰＳ）の位置情報もまた、センサ２２により検出され得る。ＧＰＳ位置情報はまた、移動経路及びその経路に沿った他のパラメータ８２の追跡を助けることになる生鮮品３４の時間ベースの位置情報を提供するのに役立つことがある。例えば、ＧＰＳ位置はまた、移動経路に沿ってコンテナ１４が経験した気象４２に関する他のデータソース４０からの情報を提供するのに役立つことがある。地域の天候４２は、コンテナ１４の温度に影響を及ぼし、そのため生鮮品３４の温度に影響を及ぼすことがある。
【００３１】
図１に示すように、輸送用冷蔵システム２０は、選択されたサンプリングレートで、パラメータ８２として知られるセンサ２２からの複数の読み取り値を記録するように構成されたコントローラ３０をさらに含むことができる。コントローラ３０は、図示するように、輸送用冷蔵ユニット２８内に囲まれてもよく、または輸送用冷蔵ユニット２８とは別体であってもよい。パラメータ８２は、時間、ロケーションスタンプまたは他の関連情報と共にさらに増補されてもよい。コントローラ３０はまた、プロセッサ（図示せず）及び関連するメモリ（図示せず）を含むことができる。当該プロセッサは、フィールドプログラマブルゲートアレイ（ＦＰＧＡ）、中央演算処理装置（ＣＰＵ）、特定用途向け集積回路（ＡＳＩＣ）、デジタル信号プロセッサ（ＤＳＰ）、もしくは均等に、または不均等に配置されたグラフィックス処理ユニット（ＧＰＵ）ハードウェアを含む、多様な可能性があるアーキテクチャの任意のシングルプロセッサまたはマルチプロセッサシステムであることができるが、これらに限定されない。当該メモリは、ランダムアクセスメモリ（ＲＡＭ）、読み出し専用メモリ（ＲＯＭ）、または他の電子的、光学的、磁気的または他のコンピュータ可読媒体であってもよいが、これらに限定されない。
【００３２】
図示された実施形態では、輸送用冷蔵システム２０は、コントローラ３０と機能的に通信し、ネットワーク６０と無線で機能的に通信する通信モジュール３２を含むことができる。通信モジュール３２は、無線通信を介してネットワーク６０にパラメータ８２を送信するように構成されている。無線通信は、ラジオ波、マイクロ波、セルラー、衛星、または別の無線通信方法であってもよいが、これらに限定されない。ネットワーク６０は、衛星ネットワーク、セルラーネットワーク、クラウドコンピューティングネットワーク、広域ネットワーク、または別のタイプの無線ネットワークであってもよいが、これらに限定されない。通信モジュール３２は、短距離インターフェースを含むことができ、この短距離インターフェースは、有線インターフェース、光インターフェース、短距離ワイヤレスインターフェースのうち少なくとも１つを含む。
【００３３】
パラメータ８２はまた、図１に示すように、他のデータソース４０によって提供されてもよい。これらの他のデータソース４０は、図２に示すようなコールドチェーン流通システム２００全体における任意の点で収集することができ、収穫２０４、パッキング２０６、輸送前の保管２０８、配送センターへの輸送２１０、配送センター２１２、陳列への輸送２１４、陳列前の保管２１６、陳列２１８及び消費者２２０を含んでもよい。これらの段階は説明の目的のために提供され、流通網は、より少ない段階、または、例えば洗浄段階、処理段階、及び追加の輸送段階などの追加の段階を含み得る。他のデータソース４０は、気象４２、品質検査４４、在庫スキャン４６、及び手動入力データ４８を含んでもよいが、これらに限定されない。天候４２は、上述したように、輸送中（例えば２１０及び２１４）にコンテナ１４の温度に影響を与えることによって輸送用冷蔵ユニット２８の動作に影響を及ぼすが、天候４２はまた、輸送用冷蔵ユニット２８への他の影響も有している。例えば、収穫２０４の前及び収穫２０４時点における天候４２は、生鮮品３４の品質に影響を及ぼす可能性があり、消費者の関心となり得る。さらに、天候４２と同様に品質検査４４は、関連する生鮮品３４のデータを消費者に明らかにすることができる。例えば、特定のイチゴのバッチは、消費者が所望する必要とされる糖分情報を有することができる。品質検査４４は、機械または人間によって実施され得る。機械によって実施される品質検査４４は、光学、臭気、音波、赤外線、または物理的なプローブを含む様々な技術を用いて遂行されてもよいがこれらに限定されない。
【００３４】
さらに在庫スキャン４６は、消費者の関心がある生鮮品３４についてのパラメータ８２を明らかにすることができ、生鮮品３４の追跡を補助することができる。例えば、在庫スキャン４６は、生鮮品が到着した時間、日付、トラック車両を明らかにし、その源流を突き止めることを補助することができる。システム１０は、自動化を補助するためのセンサ２２を含む一方で、多くの場合、手動データ入力の必要性が避けられないことがある。手動で入力されたデータ４８は、携帯電話、タブレット、ラップトップ、スマートウォッチ、デスクトップコンピュータ、または他の任意の同様なデータ入力装を含む様々な装置を介して入力されてもよいが、これらに限定されない。
【００３５】
コールドチェーン流通システム２００の各段階を通じて収集されたパラメータ８２は、例えば、温度、気圧、湿度、二酸化炭素、エチレン、オゾン、振動、光暴露、天候、時間、場所などの生鮮品３４が経験する環境条件を含んでもよい。例えば、イチゴは過度の衝撃を経験したか、輸送中に３４°Ｆで保存されていた可能性を有することができる。パラメータ８２は、例えば、温度、重量、サイズ、糖度、成熟度、等級、熟成度、ラベリング及びパッケージングなどの生鮮品３４の属性をさらに含むことができる。例えば、イチゴは、１ポンドのクラムシェルで包装されてもよく、特定の重量または等級であり、オーガニックであり、クラムシェル上に特定のパッケージまたはラベルを有してもよい。パラメータ８２はまた、上述したように、環境制御ユニット２８のオペレーションに関する情報を含むことができる。パラメータ８２は、時間、ロケーションスタンプまたは他の関連情報と共にさらに増補されてもよい。
【００３６】
図示した実施形態では、システム１０は、流通網の商品に関連するパラメータ８２を記憶するための記憶装置８０をさらに含む。パラメータ８２の少なくとも１つは、輸送用冷蔵システムから受信することができる。図示するように、記憶装置８０はまた、履歴パラメータ８４も記憶する。記憶装置８０は、ランダムアクセスメモリ（ＲＡＭ）、読み出し専用メモリ（ＲＯＭ）、または他の電子的、光学的、磁気的またはその他のコンピュータ可読媒体であってもよいが、これらに限定されない。
【００３７】
図示した実施形態では、システム１０は、パラメータ管理システム９０をさらに含む。図示されているように、パラメータ管理システム９０は、予測モジュール９２とメッシュモジュール９４とを含む。パラメータ管理システム９０はまた、プロセッサ（図示せず）及び関連するメモリ（図示せず）を含んでもよい。当該プロセッサは、フィールドプログラマブルゲートアレイ（ＦＰＧＡ）、中央演算処理装置（ＣＰＵ）、特定用途向け集積回路（ＡＳＩＣ）、デジタル信号プロセッサ（ＤＳＰ）、もしくは均質または不均一に配置されたグラフィックス処理ユニット（ＧＰＵ）ハードウェアを含む、多様な可能性があるアーキテクチャの任意のシングルプロセッサまたはマルチプロセッサシステムであることができるが、これらに限定されない。当該メモリは、ランダムアクセスメモリ（ＲＡＭ）、読み出し専用メモリ（ＲＯＭ）、または他の電子的、光学的、磁気的または他のコンピュータ可読媒体であってもよいが、これらに限定されない。予測モジュール９２及びメッシュモジュール９４は、パラメータ管理システム９０のプロセッサによって実行されるアプリケーションとしてソフトウェアで実装されてもよい。
【００３８】
予測モジュール９２は、欠損しているパラメータ８２に応答して生鮮品３４の予測パラメータを決定する。予測モジュール９２は、パラメータ８２の傾向を検出することができ、欠損しているパラメータ８２のギャップを埋めるために推定値を予測することができる。例えば、コールドチェーン流通システム２００のいくつかの例では、センサ２２は利用できないが、生鮮品３４が在庫スキャン４６中にスキャンされた場合、時間、日付、生鮮品２６を運搬したトラック車両などといった在庫スキャン４６から収集された情報は、予測モジュール９２が欠損しているパラメータ８２を決定することを手助けすることができる。さらに、履歴パラメータ８４が、９９％の確率で、火曜日の午後４時に到着するトラックが、イチゴを運びカリフォルニア州のＦａｒｍｅｒ  Ｊｏｅ’ｓから来ると告げる場合、予測モジュール９２はその情報を使用して配送に関する欠損パラメータ８２を埋め合わせる。
【００３９】
メッシュモジュール９４は、予測されたパラメータとパラメータ８２とを組み合わせることによって出力パラメータ１００を決定する。出力パラメータ１００は、コールドチェーンシステム２００に沿って選択された時間及び位置でギャップに補完された予測パラメータと組み合わされて、記憶装置８０に記録されたパラメータ８２である。メッシュモジュール９４は、収穫２０４から消費者２２０までの生鮮品３４の旅程を詳述する出力パラメータ１００の完全なデータセットを作成することができる。
【００４０】
これらの出力パラメータ１００は、ユーザデバイス１１０を介してアクセス可能であってよく、及び／またはユーザデバイス１１０に直接送信されてもよい。ユーザデバイス１１０は、例えば、携帯電話、タブレット、ラップトップ、スマートウォッチ、デスクトップコンピュータまたは任意の同様のデバイスなどのデバイスであってもよい。出力パラメータ１００は、時間ベースの場所における出力パラメータ１００と共に生鮮品３４の時間ベースの位置を表示するマップ１０２及び出力パラメータ１００のデータテーブル１０４の少なくとも１つとして構成されることができる。出力パラメータ１００の粒度は、誰がユーザデバイス１１０を介して出力パラメータ１００にアクセスしているかに応じて調整されることができる。例えば、コールドチェーン流通企業の従業員は、消費者よりもより高い粒度で、より多くの出力パラメータ１００にアクセスすることができる。消費者は、いくつかの情報をユーザデバイス１１０に入力するか、生鮮品３４のバーコードをスキャンすることができ、収穫２０４から消費者２２０までの生鮮品３４の全旅程を詳述する出力パラメータ１００にすぐにアクセスできるようになる。例えば、消費者は生鮮品３４が農場から食卓までで経た経路とその経路全体を通じて保管された温度を見ることができる。
【００４１】
本開示は限定した数の実施形態に関連して詳細に記載されているが、本開示はそのような開示された実施形態に限定されないことは容易に理解されるべきである。むしろ、本開示は、これまでに記載されていないが、本開示の範囲に見合った任意の数の変形、変更、代用、または同等物の構成を組込むように変更することができる。さらに、本開示の様々な実施形態が記載されているが、本開示の態様は記載された実施形態のうちのいくつかのみを含むことができることを理解されたい。従って、本開示は、上記の説明によって限定されるものではなく、添付の特許請求の範囲によってのみ限定される。
【図１】
2019516162.tif 000003
【図２】
2019516162.tif 000004
【国際調査報告】
2019516162.tif 000005
2019516162.tif 000006
2019516162.tif 000007